(57)【要約】      （修正有）【課題】快適感をさらに向上することができる健康椅子を提供する。【解決手段】上下に重なる座板１と中板２と底板３とを備え、座板１と中板２は、底面側に上支持体５を有すると共に、中板２と底板３は、天面側に上支持体５と相対する位置に下支持体６を有し、座板１と中板２の間にある上支持体５と下支持体６は、前後方向又は左右方向のいずれかの方向に延びるガイド溝７，７が設けてあると共に、中板２と底板３の間にある上支持体５と下支持体６は、上記ガイド溝７，７とは直交方向に延びるガイド溝７，７が設けてあり、両ガイド溝７，７の間には球体９が介在して摺動自在であり、座板１と中板２の底面側には、垂下片１０ａと、その垂下片１０ａの下部から水平に伸びる水平片１０ｂとから略Ｌ字型をなす上規制部材１０を有しており、中板２と底板３の天面側には、略逆Ｌ字型をなす下規制部材１１を有している。【選択図】図１（ａ）（ｂ）（ｃ）
2010119828.tif 000002
【特許請求の範囲】
【請求項１】
上下に三段重なる座板と中板と底板とを備えており、
底板と中板は、底面側に上支持体を有すると共に、中板と底板は、天面側に上支持体と相対する位置に下支持体を有しており、
座板と中板の間にある上支持体と下支持体は、前後方向又は左右方向のいずれかの方向に延びるガイド溝が設けてあると共に、中板と座板の間にある上支持体と下支持体は、座板と中板の間にある上支持体と下支持体のガイド溝とは直交方向に延びるガイド溝が設けてあり、両ガイド溝の間には球体が介在して摺動自在であり、
座板と中板の底面側には、垂下片と、その垂下片の下部から水平に伸びる水平片とから略Ｌ字型をなす上規制部材を有しており、中板と底板の天面側には、起立片と、その起立片の上部から水平に伸びる水平片とから略逆Ｌ字型をなす下規制部材を有しており、水平片は、ガイド溝と同一方向に長く形成してあり、
上規制部材と下規制部材は、座板と中板と底板の各々に弾性部材を介して取り付けてあり、且つ上規制部材の垂下片と下規制部材の起立片が左右に間隔をあけて重なり合う位置まで延びて両水平片が係合可能な位置にあり、両水平片の間には補助球体が介在して摺動自在であるとともに、弾性部材で上規制部材と下規制部材が上下に離れる方向に付勢されて補助球体が両水平片に常に摺動自在に当接していることを特徴とする健康椅子。
【請求項２】
上下に三段重なる座板と中板と底板とを備えており、
底板と中板は、底面側に上支持体を有すると共に、中板と底板は、天面側に上支持体と相対する位置に下支持体を有しており、
座板と中板の間の上支持体と下支持体は、前後方向又は左右方向のいずれかの方向に延びるガイド溝が設けてあると共に、中板と座板の間の支持体と下支持体は、座板と中板の間の上支持体と下支持体と直交方向に延びるガイド溝が設けてあり、両ガイド溝の間には球体が介在して摺動自在であり、
座板と中板の底面側には、上規制部材が設けてあり、中板と座板の天面側には、下規制部材が設けてあり、上規制部材は、垂下片を有すると共に、下規制部材は、起立片を有しており、上規制部材の垂下片と下規制部材の起立片は、左右に間隔をあけて重なり合う位置まで延びており、垂下片と起立片のいずれか一方にはガイド溝と同一方向に長い水平片を有し且つ他方には水平軸回転するローラーを有しており、水平片は、水平片とローラーが係合可能であり且つ上下に間隔をあけた位置にあると共に、ローラーが水平片に沿って走行自在であることを特徴とする健康椅子。
【請求項３】
座板と中板と底板の間には、摺動した座板及び中板を底板と上下に揃う位置に戻す付勢部材を有していることを特徴とする請求項１又は２記載の健康椅子。
【請求項４】
上規制部材と下規制部材は、上規制部材同士さらには下規制部材同士の水平片が各々外向きに突出しており、水平片の上方に向けて突出する係止部材を有するストッパーが中板と底板の上面にそれぞれ設けてあると共に、係止部材は、付勢部材によって突出方向に付勢されていることを特徴とする請求項１，２又は３記載の健康椅子。
【発明の詳細な説明】
【技術分野】
【０００１】
本発明は、腰掛けた状態にある使用者の身体、特に腰部を揺らして使用する態様の健康椅子に関するものである。
【背景技術】
【０００２】
椅子の座面が前後左右に揺れ動き、この椅子に腰掛けた使用者の腰部にマッサージ効果を付与する構成のものが過去に多数発表されている。その中に本願発明者が発明したものがあり、上下に重ねた三枚の板体を腰掛けた使用者が前後左右に自由に揺り動かすことで容易且つ効率的に運動ができるものであった。さらに、上記構成の健康椅子を使用者が一層快適に使用できることを目的に、各板をよりスムーズに摺動させられるものが求められている。
【先行技術文献】
【特許文献】
【０００３】
【特許文献１】特許第３９２０２８２号公報
【発明の概要】
【発明が解決しようとする課題】
【０００４】
本発明は、上記課題を鑑みてなされたものであり、上下に重なる三枚の板の多様な動きにより腰掛けた使用者の腰部、ひいては身体全体に心地よい刺激を与え、飽きの来ない長期的な使用を可能とすると共に、使用時の快適感をさらに向上することができる健康椅子を提供することにある。
【課題を解決するための手段】
【０００５】
本発明のうち請求項１記載の発明は、上下に三段重なる座板と中板と底板とを備えており、底板と中板は、底面側に上支持体を有すると共に、中板と底板は、天面側に上支持体と相対する位置に下支持体を有しており、座板と中板の間にある上支持体と下支持体は、前後方向又は左右方向のいずれかの方向に延びるガイド溝が設けてあると共に、中板と座板の間にある上支持体と下支持体は、座板と中板の間にある上支持体と下支持体のガイド溝とは直交方向に延びるガイド溝が設けてあり、両ガイド溝の間には球体が介在して摺動自在であり、座板と中板の底面側には、垂下片と、その垂下片の下部から水平に伸びる水平片とから略Ｌ字型をなす上規制部材を有しており、中板と底板の天面側には、起立片と、その起立片の上部から水平に伸びる水平片とから略逆Ｌ字型をなす下規制部材を有しており、水平片は、ガイド溝と同一方向に長く形成してあり、上規制部材と下規制部材は、座板と中板と底板の各々に弾性部材を介して取り付けてあり、且つ上規制部材の垂下片と下規制部材の起立片が左右に間隔をあけて重なり合う位置まで延びて両水平片が係合可能な位置にあり、両水平片の間には補助球体が介在して摺動自在であるとともに、弾性部材で上規制部材と下規制部材が上下に離れる方向に付勢されて補助球体が両水平片に常に摺動自在に当接していることを特徴とする。
【０００６】
本発明の請求項２記載の発明は、上下に三段重なる座板と中板と底板とを備えており、
底板と中板は、底面側に上支持体を有すると共に、中板と底板は、天面側に上支持体と相対する位置に下支持体を有しており、上支持体と下支持体は、座板と中板の間のものが前後方向又は左右方向のいずれかの方向に延び、中板と座板の間のものが座板と中板の間のものと直交方向に延びるガイド溝が設けてあり、両ガイド溝間には球体が介在して摺動自在であり、座板と中板の底面側には、上規制部材が設けてあり、中板と座板の天面側には、下規制部材が設けてあり、上規制部材は、垂下片を有すると共に、下規制部材は、起立片を有しており、上規制部材の垂下片と下規制部材の起立片は、左右に間隔をあけて重なり合う位置まで延びており、垂下片と起立片のいずれか一方にはガイド溝と同一方向に長い水平片を有し且つ他方には水平軸回転するローラーを有しており、水平片は、水平片とローラーが係合可能であり且つ上下に間隔をあけた位置にあると共に、ローラーが水平片に沿って走行自在であることを特徴とする。
【０００７】
本発明の請求項３記載の発明は、座板と中板と底板の間には、摺動した座板と中板を底板と上下に揃う位置に戻す付勢部材を有していることを特徴とする。
【０００８】
本発明の請求項４記載の発明では、上規制部材と下規制部材は、上規制部材同士さらには下規制部材同士の水平片が各々外向きに突出しており、水平片の上方に向けて突出する係止部材を有するストッパーが中板と底板の上面にそれぞれ設けてあると共に、係止部材は、付勢部材によって突出方向に付勢されていることを特徴とする。
【発明の効果】
【０００９】
本発明のうち請求項１及び２記載の発明によれば、座板と中板が初期位置にあるときは、弾性部材により各板側に軽く引き寄せられる程度の付勢力が上規制部材と下規制部材が付与されていることで、両水平片間に補助球体が摺動自在に当接した状態となる。また、使用者が上体を前後左右に揺らしたときには、上下に三枚重なるものの場合には、底板からの座板の移動距離が長くなって使用者の荷重で座板と中板が僅かに傾くことから、上規制部材と下支持部材が補助球体側に引き寄せられるが弾性部材が伸びて追従することで、両水平片から強い圧接力が加わることなく補助球体がスムーズに摺動する。これにより、座板と中板が座板と上下に揃う元位置（中心）に戻るときも滑らかに摺動するので、座板と中板の相互の動きを組み合わせた多彩な揺れが一層円滑になされることから、高齢者や小児、身障者などの比較的体力のない使用者であってもより手軽に運動効果が得られることになる。
【００１０】
本発明のうち請求項２記載の発明によれば、使用者が揺り動かしたとき、座板と中板が揺れの最大位置から元位置に戻るときに、水平軸回転するローラーが上下の両規制部に有する水平片間に当接して転がることで、上記請求項１記載の健康椅子と同様に座板と中板を円滑に摺動させることができる。
【００１１】
本発明のうち請求項３記載の発明によれば、付勢部材により使用者が揺り動かした後に座板と中板が底板と上下も重なる初期位置にそのまま戻るので、使用者の身体を引き戻そうとする力が働いて運動効果を一層高める。また、次に使用する者が使いやすくなると共に、未使用時の意匠性も保たれる。
【００１２】
本発明のうち請求項４記載の発明によれば、ストッパーの係止部材を付勢部材による付勢力に逆らって座板・中板・底板の外側に引き出すことにより、係止部材と水平片との係止状態が解除され、係止部材から指を離せば再び元位置に戻るので、底板から中板、さらには中板から座板が容易に取り外すことができ、高齢者や幼児のように比較的力の弱い者であっても本健康椅子を容易に持ち運びできる。
【図面の簡単な説明】
【００１３】
【図１（ａ）（ｂ）（ｃ）】本発明の健康椅子であり、（ａ）は、平面図であり、（ｂ）は、縦断面図であり、（ｃ）は、上規制部材と下規制部材を拡大して示す縦断面図である。
【図２（ａ）（ｂ）（ｃ）（ｄ）】本実施による健康椅子が作動したときの上規制部材、下規制部材、補助球体の状態を示す要部を拡大した縦断面図である。
【図３（ａ）（ｂ）（ｃ）（ｄ）】本発明の健康椅子の他の実施形態を示すものであり、（ａ）（ｂ）は要部を拡大した側面図であり、（ｃ）（ｄ）は、正面図である。
【図４（ａ）（ｂ）】本発明の健康椅子の他の実施形態を示すものであり、（ａ）は全体の正面図であり、（ｂ）は、ストッパーを拡大して示す正面図である。
【図５（ａ）（ｂ）】本発明の健康椅子の他の実施形態を示すものであり、(ａ)は、一部を切欠した正面図であり、（ｂ）は、作動状態を示す平面図である。
【図６（ａ）（ｂ）（ｃ）（ｄ）】使用時の座板と中板とが組み合わされた揺動のパターンを平面視して示す説明図である。
【図７（ａ）（ｂ）（ｃ）】本実施による健康椅子の組み立て手順を説明する簡略化した側面図である。
【図８（ａ）（ｂ）（ｃ）】本実施による健康椅子の作動状態を示す平面図である。
【発明を実施するための形態】
【００１４】
本発明の健康椅子の具体的な構成について、各図面に基づいて以下に説明する。
【００１５】
本健康椅子は図１（ａ）に示すように、使用者の腰掛ける座板１と中板２と底板３を上下に三段に重ねており、座板１は中板２の天面側を前後方向に摺動自在であり、中板２は、底板３の天面側を左右方向に摺動自在である。
【００１６】
さらに、本健康椅子における使用者が腰掛けた際の中板２と底板３、及び座板１と中板２の摺動について説明する。
まず座板１と中板２の間には図１（ｂ）のように、座板１底面側に左右に延長したブロック状をなす上支持体５を備える一方、中板２の天面側における前記上支持体５との対応箇所には、同じくブロック状をなす下支持体６を備えている。そして下支持体６ａの下端面側と上支持体５の上端面側には、断面凹溝状のガイド溝７，７をそれぞれ設けており、さらに各ガイド溝７，７間には球体９が介在し、この球体９の転がりによって、臀部Ｈを載せたときに、中板２からの座板１の左右方向への摺動を可能としている。また、上支持体５と下支持体６の長手側の端部同士は、ゴム製のベルト１４で連結してあり、これにより、ベルト１４が上下両支持体５，６間の隙間を健康椅子の外側から遮蔽するので、座板１と中板２が摺動したときに、上下両支持体５，６間に指を挟む危険性を回避できる。
【００１７】
上下両支持体５，６が配置してある間の位置には、図２（ａ）（ｂ）のように、座板１と中板２の下端面にクッション材１３ａ，１３ｂを介して上規制部材１０，１０を、中板２と底板３の上端面に下規制部材１１，１１が設けてあり、まず上規制部材１０は、座板１と中板２の下端面から略垂直に垂下する垂下片１０ａと、その垂下片１０ａの下端から略水平方向に突出する水平片１０ｂとから略Ｌ字型をなしている。次に、下規制部材１１，１１は、中板２と底板３の上端面から略垂直に起立する起立片１１ａと、その起立片１１ａの上端から略水平方向に突出する水平片１１ｂとから略逆Ｌ字方型をなしている。
上記の上規制部材１０と下規制部材１１は、座板１下端面と中板２上端面、そして、中板２下端面と底板３上端面の上下に対向する位置の各々に配置してあり、互いの水平片１０ｂ，１１ｂが上下方向に掛け渡される位置に配置し、両水平片１０ｂ，１１ｂの間には、ナイロン樹脂製の比較的硬質な樹脂製の補助球体１２が当接している。尚、符号９ａは、球体止めである。
【００１８】
以上のように形成すると、使用者が座板１に腰掛けて揺り動かしたときに、座板１と中板２は、座板１と中板２の間に介在する上下両支持体５，６の間の球体９を挟んで座板１が中板２を基点として前後方向に摺動する。さらに、中板２と底板３は、中板２と底板３の間に介在する上下支持体５，６の間の球体９を挟んで中板２が底板３を基点として左右方向に摺動する。これにより、座板１は中板２の前後方向に、そして前記中板２は底板３の左右方向にそれぞれ揺動するので、例えば、図６（ａ）〜（ｄ）に示すように、座板１は前後左右組み合わされた多彩なパターンで揺れ動かすことができる。
そして、座板１と中板２が最大に摺動した位置にあるとき、図２（ｃ）（ｄ）のように、上規制部材１０と下規制部材１１の間に位置する補助球体１２が互いの水平片１０ｂ，１１ｂに当接して自在に摺動することで、座板１が使用者の荷重で傾いて中板２から持ち上がったとしても補助球体１２が介在し、これにより、座板１をガタツキなく揺り動かすことができる。
【００１９】
さらに、座板１と中板２の間、中板２と底板３の間には、ゴム紐１７が掛け渡してあり、ゴム紐１７，１７の一端を各々座板１と中板２の下端面に取り付けてある二つの上支持体５，５間に固定してあると共に、ゴム紐１７，１７の他端を各々中板２と底板３の上端面に取り付けてある下支持体６，６間に固定してある。これにより、使用者が座板１に腰掛けて揺り動かした後に立ち上がったとき、座板１と中板２がゴム紐１７の付勢力で元位置に戻り、本健康椅子が使用前の状態、つまりは座板１、中板２、底板３が上下に重なる状態となる。
【００２０】
また中板２と底板３との間では、基本的な構成は前述した座板１と中板２との間と略同一のものであるが、相違する点としては、上下両支持体５，６と上下両規制部材１０，１１のガイド溝の溝方向が直行する方向に延長している点である。このように形成すると図６（ａ）〜（ｄ）のように、座板１は中板２の前後方向に、そして前記中板２は底板３の左右方向にそれぞれ揺動するので、摺動方向の組み合わせによる多彩な動きで使用者は腰掛けた状態で効率的なマッサージ効果が付与される。
【００２１】
図３（ａ）〜（ｄ）は、本発明の健康椅子の他の実施形態を示すものであり、上記実施形態と相違する構成のみを説明する。
本実施による健康椅子は、下規制部材１１の垂下片１０ａの上部に有する軸部１４ａに水平軸回転するローラー１８が取り付けてあり、そのローラー１８は、座板１と中板２が初期（上下に重なる）位置にあるとき、上規制部材１０の水平片１０ｂの上端面側と僅かに隙間をあけてクリアランスを設ける状態で配置してある。このようにすると、図３（ｃ）（ｄ）のように、座板１と中板２が底板３を基点とする最大位置まで摺動したとき、座板１と中板２は、摺動方向側が荷重で下がることで反摺動方向側が持ち上がるので、ローラー１８が水平片１０ｂ上端面側に当接し、座板１と中板２の摺動に追従して回転し且つ走行することになる。
また、本実施では、水平片１０ｂの上端面のローラー１８と当接する箇所に、一面側が滑面をなすフィルム１９が貼り付けてあり、ローラー１８が走行するときの抵抗をできるだけ小さくできると共に、ローラー１８が当接したときの衝突音の低減を図れる。
【００２２】
また、本実施による健康椅子にはストッパー１６が設けてあり、ストッパー１６は図４（ａ）（ｂ）のように、中板２と底板３の上端面に設けてあり、このストッパー１６は、略水平筒型をなすケース体１６ｂと、ケース体１６ｂの筒孔１６ｃを水平方向に摺動自在に取り付けられたバー１６ｄとからなっている。また、ケース体１６ａの周壁には切欠１６ｅが設けてあると共に、バー１６ｄの長手方向の中間部にはバー１６ｄと直交方向に分岐するツマミ１６ｆを有しており、バーを軸回ししてツマミ１６ｆをケース体１６ａの切欠１６ｅに係合することで、バー１６ｄを摺動不能とすることができ、また、ツマミ１６ｆを切欠１６から離して解除すれば、再びバー１６ｄを摺動自在にすることができる。
このように形成したストッパー１６に対し、座板１と中板２の下端面には、上支持体５と平行して前後又は左右に長く且つ略垂直なストッパー受片１７が取り付けてあり、そのストッパー受片１７には、ストッパー受片を水平方向に貫通する係合孔１７ａが設けてあり、係合孔１７ａにストッパー１６のバー１６ｄを挿通・係合することで座板１の揺動を規制するしくみとなっている。
尚、中板２と底板３の揺動を規制又は解除するストッパー１６は、前述した座板１と中板２のストッパー１６とバー１６ｄのスライド方向が前後であるか左右であるか相違するのみである。
【００２３】
さらに図５（ａ）（ｂ）は、本健康椅子にカバー２０を被せたものである。この場合には、使用時に座板１、中板２、底板３による機械的な動きが使用者側の視点から隠れ、本健康椅子の意匠的な見栄えや室内とのマッチング等の観点での効果が得られる。しかも、座板１と中板２又は中板２と底板３の間に手を挟むような事故についても、前記カバー２０に遮られて未然に防がれるようになる。また、本発明による健康椅子の座板１、中板２、底板３は、上記実施形態では円形のものについて説明をしたが、形状を特に限定するものではなく、様々な形状のものが適用できる。
【００２４】
次に本発明の健康椅子における他の実施形態について説明する。
本実施による健康椅子は、図７（ａ）（ｂ）（ｃ）のように、座板１と中板２の間、さらには中板２と底板３の間に設けてある上規制部材１０と下規制部材１１は、中板２上面と底板３上面の前後もしくは左右に間隔をあけた２箇所に設けてあり、それぞれの水平片１０ｂは、外向きに相反する方向に突出している。また、中板２上面と底板３上面のそれぞれには、ストッパー２１が取り付けてある。そして、ストッパー２１の構造は具体的に、水平板２２ａの前端と後端にそれぞれ起立片２２ｂを有する上向きほぼコ字形をなす支持部材と、両起立片２２ｂの間に前後摺動自在に掛け渡される棒状の係止部材（係止）２３と、係止部材２３が挿通し且つ起立片２２ｂ間に介在するコイルばね（付勢部材）２４とから構成されている。そして、係止部材２３は、コイルばね２４の付勢力によって常に支持部材２２から中板２もしくは底板３の中央に向けて突出した状態にあるが、コイルばね２４の付勢力に逆らって中板３もしくは底板３の外側に引っ張ることにより、上規制部材１０の水平片１０ｂの上方に位置していた係止部材２３が引っ込み、座板１と中板２と底板３における上下の係止状態が解除される。これにより、座板１と中板２、さらには中板２と底板３を取り外すときに、座板１または中板２を簡単に外すことができる。また、座板１もしくは中板２を取り付けるときは、前述した手順とは逆に、水平片同士１０ｂ，１１ｂが上下に重なるように取り付けた後、コイルばね２４の付勢力に逆らって引っ張っている係止部材２３から手を離してやれば、そのまま係止部材２３が突出して水平片同士１０ｂ，１１ｂの間に入り込んで座板１と中板２、中板２と底板３が上下に係止する。
【００２５】
また、図８（ａ）（ｂ）（ｃ）のように、座板１と中板２のそれぞれの下面において、間隔をあけてゴム紐２５を掛け渡す一方で、中板２と底板３のそれぞれの上面には、円筒状の凸部２６を設けてある。そして、座板１と中板２と底板３を重ねたときに、ゴム紐２５の間に凸部２６が挟まれた状態となり、座板１と中板２をスライドさせたときに、ゴム紐２５が凸部２６に引っ掛ることで、その弾性によって座板１と中板２が中心位置へ自然に復帰する。
【符号の説明】
【００２６】
１  座板
２  中板
３  底板
５  上支持体
６  下支持体
７  ガイド溝
９  球体
１０  上規制部材
１０ａ  垂下片
１０ｂ  水平片
１１  下規制部材
１１ａ  起立片
１１ｂ  水平片
１２  補助球体
１３ａ，１３ｂ  弾性部材
１７  ゴム紐（付勢部材）
１８  ローラー
２１  ストッパー
２３  係止部材
２４  コイルばね（付勢材）
【図１（ａ）（ｂ）（ｃ）】
2010119828.tif 000003
【図２（ａ）（ｂ）（ｃ）（ｄ）】
2010119828.tif 000004
【図３（ａ）（ｂ）（ｃ）（ｄ）】
2010119828.tif 000005
【図４（ａ）（ｂ）】
2010119828.tif 000006
【図５（ａ）（ｂ）】
2010119828.tif 000007
【図６（ａ）（ｂ）（ｃ）（ｄ）】
2010119828.tif 000008
【図７（ａ）（ｂ）（ｃ）】
2010119828.tif 000009
【図８（ａ）（ｂ）（ｃ）】
2010119828.tif 000010